(57)【要約】  試料水の電位をフッ素イオン電極計により計測し電位値Ｐを得る工程と、試料水をフッ素吸着剤と接触させてフッ素除去試料水を得る工程と、フッ素除去試料水にフッ素化合物を加えてフッ素濃度Ｃ１の第１基準液を調製する工程と、フッ素除去試料水にフッ素化合物を加えてまたは加えないでフッ素濃度Ｃ２の第２基準液を調製する工程と、第１基準液の電位をフッ素イオン電極計により計測し電位値Ｐ１を得る工程と、第２基準液の電位をフッ素イオン電極計により計測し電位値Ｐ２を得る工程と、フッ素濃度Ｃ１，Ｃ２と電位値Ｐ１，Ｐ２を用いてフッ素濃度と電位値との相関を表す検量線を作成する工程と、前記検量線に基づき電位値Ｐに対応する試料水のフッ素濃度を算出する工程とを有するフッ素濃度測定方法。
2019225433.tif 000002
【特許請求の範囲】
【請求項１】
試料水の電位をフッ素イオン電極計により計測し、電位値Ｐを得る工程と、
試料水をフッ素吸着剤と接触させてフッ素除去試料水を得る工程と、
前記フッ素除去試料水にフッ素化合物を加えてフッ素濃度Ｃ１の基準液を調製する工程と、
前記基準液の電位をフッ素イオン電極計により計測し、電位値Ｐ１を得る工程と、
前記電位値Ｐと前記電位値Ｐ１を比較して、前記試料水のフッ素濃度の前記フッ素濃度Ｃ１に対する大小関係を判定する工程とを有することを特徴とするフッ素濃度測定方法。
【請求項２】
試料水の電位をフッ素イオン電極計により計測し、電位値Ｐを得る工程と、
試料水をフッ素吸着剤と接触させてフッ素除去試料水を得る工程と、
前記フッ素除去試料水にフッ素化合物を加えてフッ素濃度Ｃ１の第１基準液を調製する工程と、
前記フッ素除去試料水にフッ素化合物を加えてまたは加えないでフッ素濃度Ｃ２の第２基準液を調製する工程と、
前記第１基準液の電位をフッ素イオン電極計により計測し、電位値Ｐ１を得る工程と、
前記第２基準液の電位をフッ素イオン電極計により計測し、電位値Ｐ２を得る工程と、
前記フッ素濃度Ｃ１，Ｃ２と前記電位値Ｐ１，Ｐ２を用いて、フッ素濃度と電位値との相関を表す検量線を作成する工程と、
前記検量線に基づき、前記電位値Ｐに対応する前記試料水のフッ素濃度を算出する工程とを有することを特徴とするフッ素濃度測定方法。
【請求項３】
前記基準液を調製する工程において、前記フッ素除去試料水に加えるフッ素化合物として、フッ素濃度が既知のフッ素標準液を用いる請求項１または２に記載のフッ素濃度測定方法。
【請求項４】
前記電位値Ｐを得る工程において、前記試料水に、前記フッ素標準液をフッ素吸着剤と接触させた後のフッ素除去標準液を加え、得られた溶液の電位をフッ素イオン電極計により計測する請求項３に記載のフッ素濃度測定方法。
【請求項５】
前記試料水のイオン強度が０．０５ｍｏｌ／Ｌ〜３．５ｍｏｌ／Ｌである請求項１〜４のいずれか一項に記載のフッ素濃度測定方法。
【請求項６】
前記試料水が、排煙脱硫設備から排出される排煙脱硫廃水である請求項１〜５のいずれか一項に記載のフッ素濃度測定方法。
【請求項７】
フッ素イオン電極計を備えた計測部と、
前記計測部に試料水を供給する第１供給手段と、
フッ素吸着剤が配置されたフッ素除去部と、
前記フッ素除去部に試料水を供給する第２供給手段と、
前記フッ素除去部から排出されたフッ素除去試料水にフッ素化合物を加え基準液を与えるフッ素化合物供給手段と、
前記フッ素除去試料水または前記基準液を前記計測部に供給する第３供給手段と、
前記計測部で計測した試料水と基準液の電位値から、前記試料水中のフッ素濃度の値または大小関係を算出する演算部とを有することを特徴とするフッ素濃度測定装置。
【請求項８】
さらに、前記フッ素除去部から排出された前記フッ素除去試料水と前記フッ素化合物供給手段から供給された前記フッ素化合物とを混合して基準液を調製する混合部を有する請求項７に記載のフッ素濃度測定装置。
【請求項９】
前記混合部は、前記フッ素除去部の出側に連通した流路に設けられている請求項８に記載のフッ素濃度測定装置。
【請求項１０】
前記計測部として、前記試料水を分析するための第１計測部と、前記基準液を分析するための第２計測部が設けられ、
前記第１供給手段は、前記第１計測部に前記試料水を供給するものであり、
前記第３供給手段は、前記第２計測部に前記フッ素除去試料水または前記基準液を供給するものである請求項７〜９のいずれか一項に記載のフッ素濃度測定装置。
【請求項１１】
前記フッ素濃度測定装置は、さらに、前記試料水を受け入れる取水部を有し、
前記第１供給手段として、前記取水部と前記計測部の入側とに連通した第１供給流路が設けられ、
前記第２供給手段として、前記取水部と前記フッ素除去部の入側とに連通した第２供給流路が設けられている請求項７〜１０のいずれか一項に記載のフッ素濃度測定装置。
【請求項１２】
前記フッ素化合物として、フッ素濃度が既知のフッ素標準液が用いられる請求項７〜１１のいずれか一項に記載のフッ素濃度測定装置。
【請求項１３】
前記フッ素濃度測定装置は、さらに、フッ素吸着剤が配置され、前記フッ素標準液が供給される第２フッ素除去部と、
前記第２フッ素除去部から排出されたフッ素除去標準液を前記計測部に供給する第４供給手段とを有する請求項１２に記載のフッ素濃度測定装置。
【請求項１４】
フッ素イオン含有水からフッ素イオンの少なくとも一部を除去し処理水を得る水処理方法であって、
請求項１〜６のいずれか一項に記載のフッ素濃度測定方法により、処理水を前記試料水として、処理水中のフッ素濃度を測定することを特徴とする水処理方法。
【請求項１５】
フッ素イオン含有水に薬剤を添加してフッ素イオンの少なくとも一部を除去する水処理方法であって、
請求項１〜６のいずれか一項に記載のフッ素濃度測定方法により、フッ素イオン含有水を前記試料水として、フッ素イオン含有水中のフッ素濃度を測定し、この測定結果に基づき、前記フッ素イオン含有水への前記薬剤の添加量を決定することを特徴とする水処理方法。
【請求項１６】
フッ素イオン含有水を、フッ素吸着剤が充填されたフッ素吸着塔に導入し、フッ素イオンの少なくとも一部を除去する水処理方法であって、
請求項１〜６のいずれか一項に記載のフッ素濃度測定方法により、フッ素イオン含有水を前記試料水として、フッ素イオン含有水中のフッ素濃度を測定し、この測定結果に基づき、前記フッ素イオン含有水を希釈することを特徴とする水処理方法。
【請求項１７】
フッ素イオン含有水からフッ素イオンの少なくとも一部を除去し処理水を得る水処理装置であって、
請求項７〜１３のいずれか一項に記載のフッ素濃度測定装置を備えることを特徴とする水処理装置。
【発明の詳細な説明】
【技術分野】
【０００１】
本発明は、フッ素濃度測定方法と当該方法を用いた水処理方法、およびフッ素濃度測定装置と当該装置を備えた水処理装置に関する。
【背景技術】
【０００２】
従来、イオン選択電極を用いて溶液中のフッ素イオン濃度を測定する方法が知られている。例えば、非特許文献１には、イオン電極を用いてイオン濃度を定量する一般的事項が記載され、イオン電極を用いて電位測定することによりフッ素イオン濃度を求めることができること、イオン電極ではイオン活量に応じた膜電位が生じること、活量係数はイオン強度の影響を受けて変動し測定誤差の原因となること、試料水のイオン強度を一定に保つために、イオン強度調整液として高濃度の電解質溶液が加えられる場合があること、イオン電極による測定は共存イオンの影響を受けるため、その影響を避ける対策をとる必要があることなどが記載されている。非特許文献２には、イオン電極法において共存イオンの影響を避けるために、フッ素化合物を前処理して蒸留分離し、緩衝液（イオン強度調整液）を加えてｐＨを５．２±０．２に調節し、フッ化物イオン選択電極を用いて電位測定し、フッ化物イオンを定量することが記載されている。非特許文献３には、イオン電極法においてフッ化物イオンの共存イオンによる錯形成の影響を防ぐために、クエン酸ナトリウムやシクロヘキサンジアミン四酢酸を加えて、フッ化物イオンがＦｅやＡｌと錯形成することを抑えることが記載されている。特許文献１には、試料水中のフッ素濃度をイオン電極法により測定するに当たり、共存するマグネシウムイオンの影響を抑えるために、試料水を水で希釈してイオン電極で測定する方法が開示されている。
【先行技術文献】
【特許文献】
【０００３】
【特許文献１】特開２０１１−４７７６８号公報
【非特許文献】
【０００４】
【非特許文献１】日本工業規格  ＪＩＳ  Ｋ  ０１２２−１９９７
【非特許文献２】日本工業規格  ＪＩＳ  Ｋ  ０１０２−２０１６
【非特許文献３】山田ら、「イオン電極法による廃水中のフッ化物イオンの簡易定量」、分析化学、Ｖｏｌ．３７、Ｔ６１〜Ｔ６５（１９８８）
【発明の概要】
【発明が解決しようとする課題】
【０００５】
上記に説明したように、従来、フッ素イオン電極計を用いたフッ素濃度測定では、共存イオンの影響によって正確なフッ素濃度の測定が難しかったり、あるいは前処理が煩雑になる場合があった。また、特許文献１に記載されるように試料水を水で希釈する方法では、共存するマグネシウムイオンの量がフッ素イオンの量に比べて過剰に多い場合は、希釈率を高く設定する必要があるため、フッ素濃度の定量下限値が上がってしまうことが避けられず、フッ素濃度が低い試料水に対しては正確なフッ素濃度の測定が困難となり、適用に限界があった。【０００６】
本発明は前記事情に鑑みてなされたものであり、その目的は、共存イオンを含む試料水であっても、試料水中のフッ素濃度を簡便かつ正確に判定または算出することができるフッ素濃度測定方法とフッ素濃度測定装置を提供することにある。また本発明は、本発明のフッ素濃度測定方法を用いた水処理方法と、本発明のフッ素濃度測定装置を備えた水処理装置も提供する。
【課題を解決するための手段】
【０００７】
前記課題を解決することができた本発明のフッ素濃度測定方法とは、試料水の電位をフッ素イオン電極計により計測し、電位値Ｐを得る工程と、試料水をフッ素吸着剤と接触させてフッ素除去試料水を得る工程と、フッ素除去試料水にフッ素化合物を加えてフッ素濃度Ｃ１の基準液を調製する工程と、基準液の電位をフッ素イオン電極計により計測し、電位値Ｐ１を得る工程と、電位値Ｐと電位値Ｐ１を比較して、試料水のフッ素濃度のフッ素濃度Ｃ１に対する大小関係を判定する工程とを有するところに特徴を有する。本発明のフッ素濃度測定方法はまた、試料水の電位をフッ素イオン電極計により計測し、電位値Ｐを得る工程と、試料水をフッ素吸着剤と接触させてフッ素除去試料水を得る工程と、フッ素除去試料水にフッ素化合物を加えてフッ素濃度Ｃ１の第１基準液を調製する工程と、フッ素除去試料水にフッ素化合物を加えてまたは加えないでフッ素濃度Ｃ２の第２基準液を調製する工程と、第１基準液の電位をフッ素イオン電極計により計測し、電位値Ｐ１を得る工程と、第２基準液の電位をフッ素イオン電極計により計測し、電位値Ｐ２を得る工程と、フッ素濃度Ｃ１，Ｃ２と電位値Ｐ１，Ｐ２を用いて、フッ素濃度と電位値との相関を表す検量線を作成する工程と、前記検量線に基づき、電位値Ｐに対応する試料水のフッ素濃度を算出する工程とを有するものであってもよい。【０００８】
本発明のフッ素濃度測定方法によれば、試料水をフッ素吸着剤と接触させてフッ素除去試料水を調製し、これにフッ素化合物を加えて基準液を調製するため、試料水と基準液はフッ素成分を除いてほぼ同一の組成（マトリックス）を有するものとなる。そのため、試料水と基準液とは同じマトリックスを持つ溶液間で対比・測定が行われることとなり、電位測定値は基本的にフッ素濃度のみの関数となる。従って、本発明のフッ素濃度測定方法によれば、試料水中に共存イオンが多量に存在していても、当該試料水に対応した基準液を用いて正確な検量線を作成したりすることができる。また、フッ素イオン電極計を用いて電位測定するため、簡便かつ迅速な測定が可能となる。【０００９】
基準液を調製する工程では、フッ素除去試料水に加えるフッ素化合物として、フッ素濃度が既知のフッ素標準液を用いることが好ましい。これにより、所望のフッ素濃度の基準液を容易に調製できる。【００１０】
電位値Ｐを得る工程では、試料水に、フッ素標準液をフッ素吸着剤と接触させた後のフッ素除去標準液を加え、得られた溶液の電位をフッ素イオン電極計により計測してもよい。【００１１】
試料水は、イオン強度が０．０５ｍｏｌ／Ｌ〜３．５ｍｏｌ／Ｌであることが好ましい。本発明によれば、このようなイオン強度を有する試料水でも正確なフッ素イオン濃度の測定が可能になる。試料水としては、例えば、排煙脱硫設備から排出される排煙脱硫廃水を用いることができる。【００１２】
本発明は、フッ素濃度測定装置も提供する。本発明のフッ素濃度測定装置は、フッ素イオン電極計を備えた計測部と、計測部に試料水を供給する第１供給手段と、フッ素吸着剤が配置されたフッ素除去部と、フッ素除去部に試料水を供給する第２供給手段と、フッ素除去部から排出されたフッ素除去試料水にフッ素化合物を加え基準液を与えるフッ素化合物供給手段と、フッ素除去試料水または基準液を計測部に供給する第３供給手段と、計測部で計測した試料水と基準液の電位値から、試料水中のフッ素濃度の値または大小関係を算出する演算部とを有するものである。本発明のフッ素濃度測定装置を用いれば、試料水中のフッ素濃度を簡便かつ正確に判定または算出することができる。【００１３】
フッ素濃度測定装置は、さらに、フッ素除去部から排出されたフッ素除去試料水とフッ素化合物供給手段から供給されたフッ素化合物とを混合して基準液を調製する混合部を有していてもよい。混合部は、フッ素除去部の出側に連通した流路に設けられるものであってもよい。【００１４】
フッ素濃度測定装置には、計測部として、試料水を分析するための第１計測部と、基準液を分析するための第２計測部が設けられていてもよい。この場合、前記第１供給手段は第１計測部に試料水を供給するものとなり、前記第３供給手段は、第２計測部にフッ素除去試料水または基準液を供給するものとなる。このように試料水を分析するための第１計測部と、基準液を分析するための第２計測部が設けられれば、より迅速に試料水のフッ素濃度を判定または算出することができる。【００１５】
フッ素濃度測定装置は、さらに、試料水を受け入れる取水部を有し、前記第１供給手段として、取水部と計測部の入側とに連通した第１供給流路が設けられ、前記第２供給手段として、取水部とフッ素除去部の入側とに連通した第２供給流路が設けられていることが好ましい。このように取水部を設けることにより、試料水と基準液を完全に同一由来のものとすることができる。【００１６】
フッ素化合物としては、フッ素濃度が既知のフッ素標準液を用いることが好ましい。この場合、フッ素濃度測定装置はさらに、フッ素吸着剤が配置され、フッ素標準液が供給される第２フッ素除去部と、第２フッ素除去部から排出されたフッ素除去標準液を計測部に供給する第４供給手段とを有するものであってもよい。【００１７】
本発明はまた、本発明のフッ素濃度測定方法を組み合わせた水処理方法も提供する。本発明の水処理方法は、例えば、フッ素イオン含有水からフッ素イオンの少なくとも一部を除去し処理水を得る水処理方法であって、本発明のフッ素濃度測定方法により、処理水を試料水として、処理水中のフッ素濃度を測定するものである。本発明の水処理方法は、フッ素イオン含有水に薬剤を添加してフッ素イオンの少なくとも一部を除去する水処理方法であって、本発明のフッ素濃度測定方法により、フッ素イオン含有水を試料水として、フッ素イオン含有水中のフッ素濃度を測定し、この測定結果に基づき、フッ素イオン含有水への薬剤の添加量を決定するものであってもよい。本発明の水処理方法は、フッ素イオン含有水を、フッ素吸着剤が充填されたフッ素吸着塔に導入し、フッ素イオンの少なくとも一部を除去する水処理方法であって、本発明のフッ素濃度測定方法により、フッ素イオン含有水を試料水として、フッ素イオン含有水中のフッ素濃度を測定し、この測定結果に基づき、フッ素イオン含有水を希釈するものであってもよい。【００１８】
本発明はまた、フッ素イオン含有水からフッ素イオンの少なくとも一部を除去し処理水を得る水処理装置であって、本発明のフッ素濃度測定装置を備えた水処理装置も提供する。
【発明の効果】
【００１９】
本発明のフッ素濃度測定方法およびフッ素濃度測定装置によれば、試料水中に共存イオンが多量に含まれていても、試料水中のフッ素イオン濃度を簡便かつ正確に判定または算出することができる。
【図面の簡単な説明】
【００２０】
【図１】本発明のフッ素濃度測定方法のフロー図を表す。
【図２】本発明のフッ素濃度測定方法に従って作成した検量線と、様々なフッ素濃度の試料水の電位値とフッ素濃度の測定結果をプロットしたグラフを表す。
【図３】本発明のフッ素濃度測定装置の構成例を表す。
【図４】本発明のフッ素濃度測定装置の構成例を表す。
【図５】本発明のフッ素濃度測定装置の構成例を表す。
【図６】本発明のフッ素濃度測定装置の構成例を表す。
【図７】本発明の水処理装置の構成例を表す。
【発明を実施するための形態】
【００２１】
本発明のフッ素濃度測定方法について、図１を参照して説明する。図１には、本発明のフッ素濃度測定方法のフロー図を示した。本発明のフッ素濃度測定方法は、試料水の電位をフッ素イオン電極計により計測し、電位値Ｐを得る工程（試料水測定工程）と、試料水をフッ素吸着剤と接触させてフッ素除去試料水を得る工程（フッ素除去工程）と、前記フッ素除去試料水にフッ素化合物を加えてフッ素濃度が明らかな基準液を調製する工程（基準液調製工程）と、前記基準液の電位をフッ素イオン電極計により計測し、電位値Ｐ１を得る工程（基準液測定工程）と、試料水測定工程と基準液測定工程から得られた電位値の測定値から、試料水のフッ素濃度を判定ないし算出する工程（フッ素濃度判定・算出工程）とを有するものである。本発明のフッ素濃度測定方法によれば、試料水中のフッ素イオン濃度を簡便かつ正確に求めることができる。なお、本明細書において、「フッ素イオン」は「フッ化物イオン」と同義で用いられ、「フッ素濃度」は「フッ素イオン濃度」を意味する。
【００２２】
測定に供する試料水の種類は特に限定されず、フッ素イオンを含有するものであってもよく、フッ素イオンを含有しないものであってもよい。例えば、工業、農業、漁業等の各種産業廃水やプロセス廃水、生活廃水等を試料水とする場合は、試料水中にフッ素イオンが含まれうる。逆に、これらの廃水の処理水を試料水とする場合は、試料水中にフッ素イオンが含まれない場合もある。また、河川水、湖沼水、地下水、海水等の環境水を試料水としてもよい。
【００２３】
試料水はフッ素イオン以外の成分を含むものも許容され、任意の共存イオンが任意の量で含まれていてもよい。フッ素イオン電極計によるフッ素イオン濃度測定では、通常、共存イオンの影響によって電位値が変わったり、共存イオンがフッ素イオンの検出に際して阻害物質として作用しうることから、これらの共存イオンに対する考慮が必要となる。例えば、フッ素イオン電極計で測定される電位値は、試料水中のイオン強度によって影響を受けるため、この影響を抑えるためにイオン強度調整剤（イオン測定に無関係な強電解質の塩）を加えることが必要となったりする。また、マグネシウムイオン、アルミニウムイオン、鉄イオン、カルシウムイオン等の金属成分が試料水中に多量に含まれる場合は、フッ素イオンがこれらの金属成分と錯形成することによりフッ素イオン電極計による測定値が下がるため、フッ素イオンの錯形成を抑えるための薬剤を加えることが必要になったりする。しかし、本発明では、そのような共存イオンが試料水中に含まれていてもよく、フッ素イオン電極計の測定に影響を与える共存イオンが試料水中に存在していても、試料水中のフッ素イオン濃度を正確に求めることができる。
【００２４】
例えば、石炭火力発電所やコークス工場や製鉄工場等では、石炭やコークスを燃焼させることにより硫黄分やフッ素分を含む排ガスが排出されるが、当該排ガスを排煙脱硫設備により脱硫処理を行うと、硫酸イオンとともにフッ素イオンを高濃度に含む排煙脱硫廃水が発生する。排煙脱硫設備における脱硫方法としては、水酸化マグネシウムや水酸化ナトリウムや水酸化カルシウムを用いて湿式処理する方法が知られているが、脱硫剤としてこれらの金属水酸化物を用いると、フッ素イオンと硫酸イオンと金属イオン（マグネシウムイオンやナトリウムイオンやカルシウムイオン）が高濃度に含まれる排煙処理廃水が発生する。通常、このような排煙処理廃水中のフッ素濃度をフッ素イオン電極計により測定することは難しいが、本発明によれば、排煙脱硫設備から排出される排煙脱硫廃水を試料水としても、当該廃水中のフッ素濃度を正確に測定することができる。さらに、フッ素イオンとともに、フッ素イオン電極計による測定値に影響を及ぼす共存イオンを含む廃水としては、光ファイバーの製造施設から排出されるスクラバー排水なども挙げられる。本発明によれば、このようなスクラバー排水を試料水としても、フッ素濃度を正確に求めることができる。
【００２５】
測定対象となる試料水のイオン強度は特に限定されない。従来は、フッ素イオンと錯形成可能な金属成分が多量に含まれているとフッ素イオン電極計によるフッ素濃度測定が難しかったところ、本発明によれば、そのような試料水でもフッ素イオン濃度の測定が可能になる。従って、そのような観点から、試料水のイオン強度は、例えば０．０５ｍｏｌ／Ｌ〜３．５ｍｏｌ／Ｌであってもよい。もちろん、本発明では、これよりも低いイオン強度または高いイオン強度の試料水のフッ素濃度を測定することも可能である。
【００２６】
試料水は、試料水測定工程とフッ素除去工程に先立って、必要に応じてｐＨ調整をしてもよい。試料水のｐＨは２．０以上が好ましく、２．５以上がより好ましく、２．８以上がさらに好ましく、また７．０以下が好ましく、６．０以下がより好ましく、５．０以下がさらに好ましく、４．０以下がさらにより好ましい。試料水のｐＨがこのような範囲にあれば、試料水中のフッ素イオンが遊離状態で存在しやすくなり、またフッ素除去工程でフッ素イオンが吸着剤によって好適に吸着除去されやすくなる。従って、試料水のｐＨが上記範囲外にあるときは、酸またはアルカリを添加してｐＨを当該範囲に調整することが好ましい。
【００２７】
試料水は、試料水測定工程とフッ素除去工程に先立って、必要に応じて水で希釈してもよい。例えば、試料水のｐＨが極端に高い場合や極端に低い場合、また試料水の共存イオン濃度が極端に高い場合などは、試料水を適宜水で希釈してもよい。例えば試料水の共存イオン濃度が極端に高い場合は、フッ素除去工程で試料水をフッ素吸着剤と接触させた際に、フッ素イオンの吸着除去に時間がかかったり、フッ素イオンが十分に除去されないことが起こりうるため、水で希釈してフッ素除去工程の迅速化を図ってもよい。なお、試料水を水で希釈したとしても希釈率はできるだけ抑えることが好ましく、これにより、より低いフッ素濃度の試料水の定量が可能となる。そのため、試料水を水で希釈する場合、例えば錯形成している金属成分とフッ素イオンとが遊離する程度まで希釈する必要はない。
【００２８】
試料水測定工程では、試料水の電位をフッ素イオン電極計により計測し、電位値Ｐを得る。フッ素イオン電極計としては、公知のフッ素イオン電極計を用いればよく、溶液中のフッ素イオン濃度（活量）に対応した電位を発生するフッ素イオン電極を備えたものを用いることができる。フッ素イオン選択膜を備えた膜電極と比較電極（参照電極）とを組み合わせ、電池を構成し、その起電力を測定することで、溶液中のフッ素イオン濃度（活量）に応じた電位値が得られる。測定された電位値Ｐは、例えばフッ素イオン電極計をイオン濃度計に接続し、イオン濃度計に表示させたり、記憶させることができる。
【００２９】
試料水測定工程で得られる電位値Ｐは、試料水中の共存イオンの影響を受けた値である。従って、この電位値Ｐを直接、試料水中のフッ素濃度の値に換算することはできない。そこで本発明では、フッ素除去工程と基準液調製工程により別途基準液を調製して、基準液測定工程で基準液の電位値を測定し、フッ素濃度判定・算出工程で試料水の電位値Ｐと比較することで、試料水のフッ素濃度を求める。
【００３０】
フッ素除去工程では、電位値Ｐの測定に供したものと同由来の試料水を、フッ素吸着剤と接触させてフッ素除去試料水を得る。フッ素除去工程に供する試料水は、試料水測定工程に供する試料水と同一バッチであってもよく、異なるバッチであってもよい。前者の場合、例えば、１バッチで採取した試料水の一部を試料水測定工程に供し、他部をフッ素除去工程に供する。あるいは、試料水測定工程で電位測定した試料水をフッ素除去工程に供してもよい。後者の場合、例えば、試料水測定工程に供する試料水を採取した後、フッ素除去工程に供する試料水を採取し、またその逆であってもよい。基本的には、試料水測定工程用の試料水とフッ素除去工程用の試料水は、できるだけ近い時間差（例えば３０分以内が好ましく、１５分以内がより好ましく、１０分以内がさらに好ましい）で採取することが望ましいが、試料水の成分組成の経時変動が小さい場合は、当該時間差がある程度開いてもよい。
【００３１】
フッ素吸着剤としては、フッ素イオンを吸着することができる公知の吸着剤を用いればよく、例えば、アルミナ系吸着剤、フェライト鉄系吸着剤、ジルコニウム系吸着剤、セリウム系吸着剤等を用いることができる。なかでも、高度にフッ素イオンを吸着除去できる吸着剤として、ジルコニウム系吸着剤またはセリウム系吸着剤を用いることが好ましい。ジルコニウム系吸着剤としては、酸化ジルコニウム（ＺｒＯ2）、特に含水酸化ジルコニウム（ＺｒＯ2・ｎＨ2Ｏ）を含む吸着剤が挙げられる。セリウム系吸着剤としては、酸化セリウム（ＣｅＯ2）、特に含水酸化セリウム（ＣｅＯ2・ｎＨ2Ｏ）を含む吸着剤が挙げられる。これらの吸着剤は樹脂を含有し、酸化ジルコニウムや酸化セリウム等が樹脂によって固定化あるいは補強されていてもよい。
【００３２】
試料水とフッ素吸着剤との接触は、槽中で行ってもよく、吸着カラムに通液することにより行ってもよい。試料水とフッ素吸着剤とを槽中で接触させる場合は、例えば、槽中に保持された試料水にフッ素吸着剤を添加すればよい。この際、フッ素吸着剤はそのままの姿で試料水と接触させてもよいし、フッ素吸着剤を入れた通液可能な袋を試料水に浸したり、フッ素吸着剤を一体的に取り扱えるように所定の形状に成形したものを試料水に浸したりしてもよい。このときのフッ素吸着剤の添加量は、例えば試料水１Ｌに対して、１ｇ／Ｌ〜１００ｇ／Ｌの範囲で適宜設定すればよい。フッ素吸着剤の添加量は、試料水の予想されるフッ素濃度に応じて適宜設定すればよく、試料水中のフッ素イオンが予想される範囲内で変動しても、フッ素イオンの９５％以上を３分以内で吸着除去できる添加量とすることが好ましい。もちろん、これよりも短時間で高い吸着率を達成できる吸着剤量としてもよい。試料水とフッ素吸着剤との接触時間は、フッ素濃度測定を速やかに行う観点から１５秒〜１０分の間（より好ましくは３０秒〜５分の間）で適宜設定することが好ましい。
【００３３】
試料水とフッ素吸着剤とを吸着カラム中で接触させる場合は、フッ素吸着剤が充填された吸着カラムに試料水を通液すればよい。試料水は、吸着カラムを上向流で通液させてもよく、下向流で通液させてもよく、また横向流で通液させてもよい。これらの場合、管路に吸着剤を充填し、これを吸着カラムとしてもよい。吸着カラムへのフッ素吸着剤の充填量は、例えば、試料水を２０ｈｒ-1の空間速度（ＳＶ）で通液させたときに、フッ素イオンの９５％以上が吸着除去される量とすることが好ましい。もちろん、これよりも速い空間速度で高い吸着率を達成できる吸着剤量としてもよい。試料水の吸着カラムの通液速度は、空間速度（ＳＶ）として、例えば６ｈｒ-1〜１８０ｈｒ-1の範囲内（より好ましくは１２ｈｒ-1〜１２０ｈｒ-1の範囲内）で適宜設定することが好ましい。
【００３４】
フッ素除去工程では、試料水をフッ素吸着剤と接触させることにより試料水からフッ素イオンが除去されたフッ素除去試料水が得られる。なお、フッ素除去試料水のフッ素イオン濃度は完全に０ｍｇ／Ｌにならなくてもよい。フッ素除去試料水のフッ素イオン濃度は、例えば３ｍｇ／Ｌ以下が好ましく、２ｍｇ／Ｌ以下がより好ましく、１ｍｇ／Ｌ以下がさらに好ましく、０．５ｍｇ／Ｌ以下が特に好ましい。あるいは、フッ素除去工程でのフッ素イオン除去率が９５％以上となることが好ましく、９７％以上がより好ましく、９９％以上がさらに好ましい。基本的には、試料水のフッ素濃度を求めるのに当たって、十分な精度（例えば、誤差±５％以内）が得られる程度にフッ素除去試料水のフッ素イオン濃度が低減されればよい。
【００３５】
フッ素除去工程で得られたフッ素除去試料水は、次に基準液調製工程にてフッ素化合物を加えることにより、基準液を調製する。基準液の調製の際に加えるフッ素化合物の種類は特に限定されないが、水への溶解性に優れ、入手が容易な点から、フッ素のアルカリ金属塩が好ましく、フッ化ナトリウムがより好ましい。フッ素化合物は、固体としてフッ素除去試料水に添加してもよく、溶液としてフッ素除去試料水に添加してもよい。なお、フッ素化合物は溶液としてフッ素除去試料水に添加することが好ましく、これにより所定濃度でフッ素イオンが溶解した基準液を容易に調製することができる。この際のフッ素化合物溶液の添加量は、フッ素除去試料水１００質量部に対して３質量部以下となることが好ましく、２質量部以下がより好ましく、１質量部以下がさらに好ましい。すなわち、このような添加量となるように、フッ素化合物溶液のフッ素濃度を適宜調整することが好ましい。
【００３６】
基準液調製工程では、予め所定濃度のフッ素化合物溶液を準備しておき、基準液のフッ素濃度に応じてフッ素化合物溶液の添加量を調整することが好ましく、これにより所望のフッ素濃度の基準液を容易に調製できるようになる。このようなフッ素化合物溶液としては、フッ素濃度が既知のフッ素標準液を用いることが簡便である。フッ素化合物溶液またはフッ素標準液には、ｐＨ緩衝剤等が含まれていてもよい。
【００３７】
基準液調製工程では、フッ素濃度Ｃ１の基準液を調製する。基準液のフッ素濃度Ｃ１は、これを試料水のフッ素濃度との大小関係の判定に用いる場合は、例えば、試料水の基準となるフッ素濃度（例えば、環境省の定める排出基準値や、フッ素処理に際して処理設備の仕様上のフッ素濃度上限値や、これらの値に安全率をかけた値）に設定すればよい。基準液のフッ素濃度Ｃ１は、添加したフッ素化合物のフッ素濃度、すなわち添加したフッ素化合物のＦ量（質量またはモル量）を基準液の容量で除することに求まる値とすることが簡便である。
【００３８】
基準液調製工程では、フッ素濃度Ｃ１の第１基準液を調製するとともに、フッ素濃度Ｃ２の第２基準液を調製してもよい。第１基準液のフッ素濃度Ｃ１と第２基準液のフッ素濃度Ｃ２は、例えば、試料水の基準となるフッ素濃度に設定してもよく、検量線の作成に適当なフッ素濃度に適宜設定することもできる。第２基準液は、フッ素除去試料水にフッ素化合物を加えることによりフッ素濃度Ｃ２に調整したものであってもよく、フッ素除去試料水にフッ素化合物を加えることなくフッ素濃度Ｃ２に調整したものであってもよい。後者の場合、第２基準液のフッ素濃度は０ｍｇ／Ｌかそれに近い値（例えば１ｍｇ／Ｌ）となる。基準液調製工程では、さらに、フッ素濃度Ｃ３の第３基準液やフッ素濃度Ｃ４の第４基準液などを調製してもよい。
【００３９】
基準液調製工程で得られた基準液は、ｐＨが２．０以上が好ましく、２．５以上がより好ましく、２．８以上がさらに好ましく、また７．０以下が好ましく、６．０以下がより好ましく、５．０以下がさらに好ましく、４．０以下がさらにより好ましい。基準液のｐＨが当該範囲から外れる場合は、基準液またはフッ素除去試料水に酸またはアルカリを添加してｐＨを当該範囲に調整することが好ましい。フッ素イオン電極計により電位値を計測する基準液のｐＨとフッ素イオン電極計により電位値を計測する試料水のｐＨとの差はあまり大きくないことが好ましく、両者の差は２．０以内が好ましく、１．５以内がより好ましく、１．０以内がさらに好ましい。
【００４０】
なお、基準液調製工程では、フッ素除去試料水にフッ素化合物を加えて基準液を調製しているが、これにより得られた基準液は、フッ素化合物由来のカチオン成分がもとの試料水に追加されている形となる。従って、試料水と基準液のイオン強度や共存イオン成分を厳密に揃える観点から、フッ素除去試料水に加えたフッ素化合物のカチオンの水酸化物を、試料水測定工程に先立って試料水に加えてもよい。このとき加えるカチオンの水酸化物の量は、フッ素除去試料水に加えたフッ素化合物のカチオン相当量となることが好ましい。基準液調製工程でｐＨ緩衝剤を加える場合は、同量のｐＨ緩衝剤を、試料水測定工程に先立って試料水に加えてもよい。フッ素除去試料水にフッ素化合物溶液（例えばフッ素標準液）を加える場合は、フッ素吸着剤と接触させたフッ素化合物溶液（例えばフッ素標準液）を試料水に加え、このようにして得られた溶液の電位をフッ素イオン電極計により計測し、電位値Ｐを得てもよい。この場合、試料水には、フッ素イオンが除去されたフッ素化合物溶液またはフッ素イオンが除去されたフッ素標準液（例えばフッ素除去標準液）が加えられることとなる。なお通常は、試料水と基準液のイオン強度や共存イオン成分をここまで厳密に揃えなくても、十分に高精度に試料水のフッ素濃度を測定することができる。
【００４１】
基準液調製工程に続いて、基準液測定工程にて、基準液の電位をフッ素イオン電極計により計測する。基準液測定工程では、上記に説明した試料水測定工程と同様にして、基準液の電位をフッ素イオン電極計により計測することができる。基準液の測定に用いるフッ素イオン電極計は、試料水の測定に用いるフッ素イオン電極計と同じであっても異なっていてもよい。基準液測定工程では、フッ素濃度Ｃ１の（第１）基準液の電位値として電位値Ｐ１を得る。基準液調製工程でフッ素濃度Ｃ２の第２基準液を調製した場合は、基準液測定工程で第２基準液の電位値として電位値Ｐ２を得る。同様にして、基準液調製工程でフッ素濃度Ｃ３の第３基準液やフッ素濃度Ｃ４の第４基準液を調製した場合は、基準液測定工程で第３基準液の電位値として電位値Ｐ３を得て、第４基準液の電位値として電位値Ｐ４を得る。
【００４２】
次に、フッ素濃度判定・算出工程にて、試料水測定工程と基準液測定工程から得られた電位値の測定値から、試料水のフッ素濃度を判定ないし算出する。試料水のフッ素濃度を判定する場合は、試料水の電位値Ｐとフッ素濃度Ｃ１の（第１）基準液の電位値Ｐ１を比較して、試料水のフッ素濃度のフッ素濃度Ｃ１に対する大小関係を判定する。このとき、電位値Ｐが電位値Ｐ１よりも大きければ、試料水のフッ素濃度がＣ１よりも小さいと判断され、電位値Ｐが電位値Ｐ１よりも小さければ、試料水のフッ素濃度がＣ１よりも大きいと判断することができる。試料水のフッ素濃度の大小関係の判定は、第２基準液のフッ素濃度Ｃ２に対しても行ってもよく、さらに第３基準液のフッ素濃度Ｃ３や第４基準液のフッ素濃度Ｃ４に対しても行ってもよい。
【００４３】
試料水のフッ素濃度の具体的な値を算出する場合は、フッ素濃度判定・算出工程に先立って、フッ素濃度Ｃ１，Ｃ２と電位値Ｐ１，Ｐ２とから、フッ素濃度と電位値との相関を表す検量線を作成する工程（検量線作成工程）を行う。検量線の作成に当たっては、横軸に電位値をとり、縦軸にフッ素濃度の対数値をとり、第１基準液のフッ素濃度Ｃ１と電位値Ｐ１、第２基準液のフッ素濃度Ｃ２と電位値Ｐ２をプロットし、直線近似することにより、検量線を作成することができる。より正確な検量線を作成する観点からは、第３基準液のフッ素濃度Ｃ３と電位値Ｐ３をさらにプロットすることが好ましく、第４基準液のフッ素濃度Ｃ４と電位値Ｐ４をさらにプロットすることがより好ましい。
【００４４】
図２には、このようにして作成した検量線と、様々なフッ素濃度の試料水を測定した結果について、電位値とフッ素濃度の関係を表したグラフを示した。まず、ＭｇＳＯ4濃度が６０，０００ｍｇ／Ｌ、ｐＨ５．４、フッ素濃度が１ｍｇ／Ｌ、１０ｍｇ／Ｌ、２５ｍｇ／Ｌ、５０ｍｇ／Ｌ、１００ｍｇ／Ｌの５種類の基準液を調製し、それぞれ電位値を測定し、電位値とフッ素濃度（対数値）との関係をプロットして検量線を作成した。次に、ＭｇＳＯ4濃度が６０，０００ｍｇ／Ｌ、ｐＨ５．４であり、任意のフッ素濃度の試料水を作製し、電位値とフッ素濃度の測定値との関係をプロットした。図２に示すように、検量線は電位値とフッ素濃度（対数値）との関係においてよい直線性を示し、任意のフッ素濃度の試料水の測定値もこの検量線上に乗ることが分かる。
【００４５】
本発明のフッ素濃度測定方法によれば、試料水からフッ素イオンを除去してフッ素除去試料水を調製し、これにフッ素化合物を加えて基準液を調製するため、試料水と基準液はフッ素成分を除いてほぼ同一の組成（マトリックス）を有するものとなる。つまり、試料水と基準液は、フッ素イオンの有無以外、含まれる共存イオンの種類と濃度がほぼ同一となり、イオン強度もフッ素成分を除いて同じになる。試料水と基準液中にフッ素イオンと錯形成可能な成分が存在する場合であっても、当該成分の種類と濃度が試料水と基準液中とで同じとなるため、当該成分のフッ素イオンに及ぼす影響度合も同程度となる。そのため、試料水と基準液とは同じマトリックスを持つ溶液間で対比・測定が行われることとなり、電位測定値は基本的にフッ素濃度のみの関数となる。従って、本発明のフッ素濃度測定方法によれば、試料水中に共存イオンが多量に存在していても、当該試料水に対応した基準液を用いて正確な検量線を作成したり、大小関係を判定することができる。また、フッ素イオン電極計を用いて電位測定するため、簡便かつ迅速な測定が可能となる。
【００４６】
共存イオンがフッ素濃度測定値に及ぼす影響について本発明者らが検討したところ、例えば、同じフッ素イオン濃度を有し、一方は硫酸マグネシウムが全く含まれておらず、他方は硫酸マグネシウムが６０，０００ｍｇ／Ｌ含まれている２つの溶液について、それぞれフッ素イオン電極計を用いてフッ素濃度を測定したところ、硫酸マグネシウムが含まれている溶液のフッ素濃度は、硫酸マグネシウムが含まれない溶液のフッ素濃度の約１／１０の測定値となった。このことは、通常のようにフッ素標準溶液を用いて検量線を作成し、フッ素イオン電極計を用いてフッ素イオン濃度を測定した場合は、硫酸マグネシウムが６０，０００ｍｇ／Ｌ含まれている溶液のフッ素濃度測定値は実際よりも約１／１０の値になることを意味する。これに対して本発明のフッ素濃度測定方法によれば、検量線の作成に用いる基準液のマトリックスが試料水のマトリックスと同一であるため、共存イオンの影響を加味した検量線が作成され、試料水の正確なフッ素濃度の測定が可能となる。
【００４７】
なお、基準液の調製の際に、試料水をフッ素吸着剤と接触させることによってフッ素イオンと水酸化物イオンのイオン交換反応が起こると、基準液のｐＨが試料水のｐＨよりも高くなる場合があるが、ｐＨの違いがフッ素濃度測定値に及ぼす影響は、共存イオンの影響と比べると非常に小さいことが分かった。特に、共存イオンが多く含まれる試料水の場合は、共存イオンのｐＨ緩衝作用によってｐＨ値の変化はより小さくなる傾向を示した。ｐＨの違いの影響をできるだけ抑える観点からは、試料水と基準液のｐＨの違いは、２．０以内とすることが好ましく、１．５以内がより好ましく、１．０以内がさらに好ましい。
【００４８】
フッ素イオン電極計による電位値の測定は、温度による影響も僅かながら受ける。電位測定の温度による影響をできるだけ排除する観点からは、電位測定の際の試料水と基準液の温度差は３０℃以内とすることが好ましく、２０℃以内がより好ましく、１０℃以内がさらに好ましい。
【００４９】
本発明のフッ素濃度測定方法は、試料水中にフッ素イオン以外の共存イオンが多く存在する場合に、特に優れた効果を示す。また、そのような場合に、より正確なフッ素イオン濃度の測定が可能となる。そのような観点から、本発明では、イオン強度が０．０５ｍｏｌ／Ｌ以上の試料水を測定対象とすることが好ましい。
【００５０】
以上、本発明のフッ素濃度測定方法について説明したが、本発明のフッ素濃度測定方法を、フッ素吸着剤を用いた水処理方法の被処理水（原水）中のフッ素濃度の測定に適用する場合は、フッ素除去試料水として、被処理水を当該フッ素吸着剤と接触させて得られる処理水を用い、これにフッ素化合物を添加して基準液を調製することも可能である。この場合も、試料水（被処理水）と基準液は同一由来となり、両者でほぼ同じマトリックスを有するものとなる。そのため、本発明のフッ素濃度測定方法により試料水のフッ素濃度を求めることができる。
【００５１】
次に、本発明のフッ素濃度測定装置について、図３〜図６を参照して説明する。なお、下記の説明において、上記の説明と重複する部分は説明を省略する。本発明のフッ素濃度測定装置を用いれば、本発明のフッ素濃度測定法を好適に実施することができる。まず図３に示したフッ素濃度測定装置について説明する。
【００５２】
フッ素濃度測定装置は、フッ素イオン電極計２を備えた計測部１と、計測部１に試料水を供給する第１供給手段４と、フッ素吸着剤が配置されたフッ素除去部５と、フッ素除去部５に試料水を供給する第２供給手段６と、フッ素除去部５から排出されたフッ素除去試料水にフッ素化合物を加え基準液を与えるフッ素化合物供給手段７と、フッ素除去試料水または基準液を計測部１に供給する第３供給手段９と、計測部１で計測した試料水と基準液の電位値から、試料水中のフッ素濃度の値または大小関係を算出する演算部１０とを有するものである。
【００５３】
計測部１はフッ素イオン電極計２を備え、フッ素イオン電極計２により電位測定される分析対象液が保持される。フッ素イオン電極計の詳細は、上記の説明が参照される。フッ素イオン電極計２は、演算部１０と有線や無線を介して情報伝達できるようになっている。図３では、計測部１は、分析対象液が保持される槽３と、槽３に備えられたフッ素イオン電極計２から構成され、槽３は電位測定後の分析対象液（排出液１１）を排出するための排出部を有する。計測部１は、分析対象液（具体的には試料水や基準液）の流路と、当該流路に備えられた電極計から構成されてもよい。
【００５４】
フッ素除去部５にはフッ素吸着剤が配置されている。フッ素吸着剤の詳細は、上記の説明が参照される。図３では、フッ素除去部５は、フッ素吸着剤が充填された吸着カラムとして構成されている。フッ素除去部５は、フッ素吸着剤が配置された吸着槽であったり、フッ素吸着剤が配置された管路であってもよい。
【００５５】
第１供給手段４は、計測部１に分析対象液として試料水を供給するものである。第２供給手段６は、フッ素除去部５に試料水を供給するものである。試料水の詳細は、上記の説明が参照される。第１供給手段４と第２供給手段６は、試料水を計測部１またはフッ素除去部５に供給できるものであれば特に限定されず、例えば試料水が通る流路、当該流路に送液ポンプが備えられたもの、試料水を搬送する容器などが挙げられる。図３では、第１供給手段４は計測部１に連通した流路として示され、第２供給手段６はフッ素除去部５の入側に連通した流路として示されており、これらの流路には送液ポンプが備わっていてもよい。
【００５６】
第３供給手段９は、図３では、フッ素除去部５から排出されたフッ素除去試料水を計測部１に供給するものとして示されている。第３供給手段９は、フッ素除去試料水または基準液を計測部１に供給できるものであれば特に限定されず、例えばフッ素除去試料水または基準液が通る流路、当該流路に送液ポンプが備えられたもの、フッ素除去試料水または基準液を搬送する容器などが挙げられる。図３では、第３供給手段９はフッ素除去部５の出側と計測部１とに連通した流路として示されており、当該流路にはフッ素除去試料水が流れる。
【００５７】
フッ素化合物供給手段７は、フッ素除去試料水にフッ素化合物を供給するものである。フッ素化合物がフッ素除去試料水に加えられることにより、基準液が調製される。フッ素化合物および基準液の詳細は上記の説明が参照される。
【００５８】
フッ素化合物供給手段７は、溶液または固体のフッ素化合物を供給できるものであれば特に限定されず、例えば、フッ素化合物溶液が通る流路、当該流路に送液ポンプが備えられたもの、フッ素化合物のフィーダー、フッ素化合物を搬送する容器などが挙げられる。フッ素化合物は、フッ素化合物供給手段７から、例えばフッ素除去試料水が通る流路、フッ素除去試料水が一時的に貯められる槽、計測部１の槽３などに供給される。図３では、フッ素化合物溶液が貯留槽８に貯められ、貯留槽８からフッ素化合物溶液がフッ素化合物供給手段７により計測部１の槽３に供給されるようになっている。フッ素化合物供給手段７により槽３に供給されたフッ素化合物溶液は、槽３でフッ素除去試料水と混合される。フッ素化合物溶液としては、フッ素濃度が既知のフッ素標準液を用いることが簡便であり、この場合、フッ素化合物供給手段７はフッ素標準液供給手段となる。
【００５９】
図３に示したフッ素濃度測定装置では、まず試料水を第１供給手段４で計測部１の槽３に供給し、試料水の電位をフッ素イオン電極計２により計測し、電位値Ｐを得る。得られた電位値Ｐは、演算部１０に一旦記憶される。試料水の電位測定が終わったら、試料水を槽３から排出する。一方、試料水は、第２供給手段６によりフッ素除去部５に供給され、試料水中のフッ素イオンが除去される。フッ素除去部５から排出されたフッ素除去試料水は第３供給手段９により計測部１の槽３に移送される。槽３に貯められたフッ素除去試料水には、フッ素化合物供給手段７によってフッ素化合物が加えられ、槽３においてフッ素濃度Ｃ１の（第１）基準液が調製される。この（第１）基準液の電位をフッ素イオン電極計２により計測し、電位値Ｐ１を得る。得られた電位値Ｐ１は、演算部１０に記憶される。この際、（第１）基準液のフッ素濃度Ｃ１の設定値を演算部１０に入力したり、フッ素化合物供給手段７の制御を演算部１０により行い、設定量のフッ素化合物がフッ素化合物供給手段７によって供給されるようにしてもよい。このようにして得られた試料水の電位値Ｐと（第１）基準液の電位値Ｐ１を演算部１０で対比することにより、試料水のフッ素濃度の（第１）基準液のフッ素濃度Ｃ１に対する大小関係を判定することができる。
【００６０】
なお上記の説明では、試料水の電位測定をフッ素イオン電極計２により行い、電位値Ｐを得た後、試料水を槽３から排出していたが、槽３から排出した試料水をフッ素除去部５に供給してもよい。この場合、第２供給手段６は、例えば、計測部１の出側（槽３の排出部）とフッ素除去部５の入側とに連通した流路として設けられ、当該流路には送液ポンプが備えられていてもよい。
【００６１】
図３に示したフッ素濃度測定装置では、第１基準液の電位測定の後、第１基準液にさらにフッ素化合物供給手段７によってフッ素化合物を加え、第２基準液を調製してもよい。あるいは、第１基準液の電位測定の前に、第１基準液にフッ素化合物を加えることなく、第２基準液を調製してもよい。この場合は、第２基準液の電位をフッ素イオン電極計２により計測し、電位値Ｐ２を得る。得られた電位値Ｐ２は、演算部１０に記憶される。この際、第２基準液のフッ素濃度Ｃ２の設定値を演算部１０に入力したり、フッ素化合物供給手段７の制御を演算部１０により行い、設定量のフッ素化合物がフッ素化合物供給手段７によって供給されるようにしてもよい。演算部１０は、このようにして得られた第１基準液の電位値Ｐ１と第２基準液の電位値Ｐ２とから、フッ素濃度と電位値との関係を表す検量線を作成することで、試料水の電位値Ｐに対応したフッ素濃度の値を算出することができる。
【００６２】
本発明のフッ素濃度測定装置の他の構成例について、図４〜図６を参照して説明する。なお図４〜図６の説明において、図３と重複する部分は説明を省く。
【００６３】
図４に示したフッ素濃度測定装置は、試料水を受け入れる取水部１２を有し、第１供給手段４として、取水部１２と計測部１の入側とに連通した第１供給流路が設けられ、第２供給手段６として、取水部１２とフッ素除去部５の入側とに連通した第２供給流路が設けられている。第１供給流路および／または第２供給流路には送液ポンプが備えられていてもよい。このように取水部１２を設けることにより、基準液測定工程で電位測定の対象となる基準液を、試料水測定工程で電位測定の対象となる試料水と完全に同一由来のものとすることができる。
【００６４】
図４に示したフッ素濃度測定装置はまた、フッ素除去部５から排出されたフッ素除去試料水とフッ素化合物供給手段７から供給されたフッ素化合物とを混合する混合部１３が設けられている。図４では、混合部１３はフッ素除去部５の出側に連通した流路に設けられており、例えばインラインミキサーなどが設けられることが好ましい。混合部１３では、フッ素除去試料水とフッ素化合物とが混合され、基準液が調製される。図４では、第３供給手段９は、混合部１３と計測部１とに連通した流路として設けられ、基準液を計測部１に供給するものとなる。なお、図面には示されていないが、混合部１３は、混合槽として設けられてもよい。
【００６５】
図５に示したフッ素濃度測定装置は、計測部として、試料水を分析するための第１計測部１Ａと、基準液を分析するための第２計測部１Ｂが設けられている。図５では、第１計測部１Ａは、試料水が保持される槽３Ａと、槽３Ａに備えられたフッ素イオン電極計２Ａから構成され、第２計測部１Ｂは、基準液が保持される槽３Ｂと、槽３Ｂに備えられたフッ素イオン電極計２Ｂから構成されている。槽３Ａと槽３Ｂには、電位測定後の分析対象液（排出液１１Ａ、１１Ｂ）を排出するための排出部が設けられている。この場合、第１供給手段４は、第１計測部１Ａに試料水を供給するものとなり、第３供給手段９は、第２計測部１Ｂにフッ素除去試料水または基準液を供給するものとなる。また、計測部１０は、第１計測部１Ａで計測した試料水の電位値と第２計測部１Ｂで計測した基準液の電位値から、試料水中のフッ素濃度の値または大小関係を算出するものとなる。このように試料水を分析するための第１計測部１Ａと、基準液を分析するための第２計測部１Ｂが設けられれば、より迅速に試料水のフッ素濃度の値または大小関係を算出することができる。
【００６６】
図６に示したフッ素濃度測定装置は、基準液に加えるフッ素化合物としてフッ素化合物溶液が用いられるとともに、試料水に、フッ素化合物溶液をフッ素吸着剤と接触させた溶液を加えるように構成されたものである。図６に示したフッ素濃度測定装置は、フッ素吸着剤が配置され、フッ素化合物溶液が供給される第２フッ素除去部１４と、第２フッ素除去部１４から排出されたフッ素除去フッ素化合物溶液を計測部１に供給する第４供給手段１５とを有する。第２フッ素除去部１４の詳細は、上記のフッ素除去部５の説明が参照される。第４供給手段１５は、第２フッ素除去部１４から排出された溶液を計測部１に供給できるものであれば特に限定されず、例えば当該溶液が通る流路、当該流路に送液ポンプが備えられたもの、当該溶液を搬送する容器などが挙げられる。図６では、第４供給手段１５は第２フッ素除去部１４の出側と計測部１に連通した流路として示されており、当該流路には送液ポンプが備わっていてもよい。第４供給手段１５の流路は、試料水を計測部１に供給する第１供給手段４の流路に接続し、当該流路を介して計測部１に連通していてもよい。図６に示したフッ素濃度測定装置では、フッ素化合物溶液としてフッ素標準液を用いることが簡便であり、この場合、第４供給手段１５は、第２フッ素除去部１４から排出されたフッ素除去標準液を計測部１に供給するものとなる。
【００６７】
以上、本発明のフッ素濃度測定装置の様々な実施態様を図３〜図６を参照して説明したが、図３〜図６に示した実施態様の各構成要素は任意に組み合わせることが可能である。例えば、図４に示した取水部１２や混合部１３は、他の実施態様においても設置することができ、図５に示したように計測部１を複数設ける構成は、他の実施態様においても適用することができ、図６に示したように第２フッ素除去部１４は、他の実施態様においても設置することができる。
【００６８】
本発明のフッ素濃度測定方法は、様々な水処理方法と組み合わせて実施することができる。従って、本発明は、上記に説明したフッ素濃度測定方法を組み合わせた水処理方法も提供する。
【００６９】
本発明の水処理方法は、例えば、フッ素イオン含有水からフッ素イオンの少なくとも一部を除去し処理水を得る水処理方法であって、上記に説明したフッ素濃度測定方法により、処理水を前記試料水として、処理水中のフッ素濃度を測定するものとすることができる。処理水は、例えば、プラント全体の処理水であってもよく、フッ素除去を行う単位操作の処理水であってもよい。本発明のフッ素濃度測定方法により処理水のフッ素濃度を測定することにより、処理水のフッ素濃度を簡便かつ正確に測定することができる。これにより、水処理が適切に行われているか、また処理水質が適正なものとなっているか判断することができる。
【００７０】
フッ素イオン含有水は、フッ素イオンを任意の形態（例えば、遊離形態、塩形態、錯体形態）で含む水であれば特に限定されず、発電所で発生する廃水；製鉄、鉄鋼、非鉄金属、機械、金属加工、めっき、塗装、電子部品、ガラス、セメント等の各種工場で発生する廃水；埋立浸出水；下水、し尿、畜産糞尿等の有機性廃水；各種プラントのプロセス廃水等が挙げられる。また、河川水、湖沼水、地下水、海水等の環境水であってもよい。
【００７１】
フッ素イオン含有水からフッ素イオンの少なくとも一部を除去する処理は、フッ素除去を主目的とするものであってもよく、副次的にフッ素イオンが除去されるものであってもよい。フッ素除去を目的とした処理方法としては、例えば、消石灰や塩化カルシウム等のカルシウム化合物の添加により固液分離処理する方法、硫酸バンドや塩化アルミニウム等のアルミニウム化合物の添加により固液分離処理する方法、硫酸マグネシウムや水酸化マグネシウム等のマグネシウム化合物の添加により固液分離処理する方法、アルミナ系吸着剤、フェライト鉄系吸着剤、ジルコニウム系吸着剤、セリウム系吸着剤等を用いて吸着除去する方法等が挙げられる。
【００７２】
本発明の水処理方法はまた、フッ素イオン含有水からフッ素イオンの少なくとも一部を除去し処理水を得る水処理方法であって、上記に説明したフッ素濃度測定方法により、フッ素イオン含有水中のフッ素濃度を測定するものであってもよい。本発明のフッ素濃度測定方法を用いて、フッ素イオン含有水中のフッ素濃度を測定することにより、適切な条件で水処理を行うことが可能となる。例えば、上記に説明したカルシウム化合物やアルミニウム化合物やマグネシウム化合物等の薬剤をフッ素イオン含有水に添加して、フッ素イオンの少なくとも一部を除去する処理を行う場合は、フッ素イオン含有水を試料水としてフッ素イオン含有水のフッ素濃度測定結果に基づき薬剤の添加量を決定することで、薬剤を適切な量添加して、効率的にフッ素除去処理を行うことができる。あるいは、フッ素イオン含有水をフッ素吸着剤が充填されたフッ素吸着塔に導入して、フッ素イオンの少なくとも一部を除去する処理を行う場合は、フッ素イオン含有水を試料水として、フッ素イオン含有水のフッ素濃度測定結果に基づき、フッ素イオン含有水を希釈するものであってもよい。この場合は、フッ素イオン含有水のフッ素濃度測定結果に基づき希釈率を決定することで、フッ素吸着塔でのフッ素除去処理を好適に行い、フッ素吸着塔から排出される処理水のフッ素濃度を適切に制御することができる。
【００７３】
本発明の水処理方法は、被処理水と処理水の両方を本発明のフッ素濃度測定方法を用いて測定するものであってもよい。この場合、被処理水と処理水のフッ素濃度を本発明のフッ素濃度測定方法により測定することにより、適切な条件で水処理を行うことができるとともに、当該条件によって適切に処理が行われたか検証することができる。本発明の水処理方法は、被処理水から処理水が得られる途中の中間処理水を、本発明のフッ素濃度測定方法を用いて測定するものであってもよい。
【００７４】
本発明はまた、フッ素イオン含有水からフッ素イオンの少なくとも一部を除去し処理水を得る水処理装置であって、本発明のフッ素濃度測定装置を備えた水処理装置も提供する。本発明の水処理装置は、上記に説明した水処理方法を実施できるものであることが好ましく、例えば、フッ素イオン含有水を保持し、薬剤添加手段を備えたフッ素除去槽を有するものが好ましい。添加される薬剤としては、上記に説明したカルシウム化合物やアルミニウム化合物やマグネシウム化合物等が挙げられる。薬剤添加手段としては、薬液ポンプやフィーダー等が挙げられる。本発明の水処理装置は、フッ素吸着剤が配置されたフッ素吸着槽やフッ素吸着塔を有するものであってもよく、フッ素吸着剤としては、アルミナ系吸着剤、フェライト鉄系吸着剤、ジルコニウム系吸着剤、セリウム系吸着剤等を用いることができる。
【００７５】
本発明の水処理装置は、フッ素イオン含有水を試料水として採取するものであってもよく、処理水を試料水として採取するものであってもよく、その両方を採取するものであってもよい。また、被処理水から処理水が得られる途中の中間処理水を試料水として採取するものであってもよい。
【００７６】
図７には、本発明の水処理装置の一例を示した。図７に示した水処理装置は、フッ素吸着塔が複数直列接続された装置例である。フッ素吸着塔として、第１吸着塔２１と第２吸着塔２２が設けられ、第１吸着塔２１の出側と第２吸着塔２２の入側に連通して直列接続流路２４が設けられ、これにより第１吸着塔２１と第２吸着塔２２が直列接続されている。フッ素イオン含有水（被処理水）３１は、第１吸着塔２１の入側に連通して設けられた被処理水流路２３を通ってまず第１吸着塔２１に導入され、第１吸着塔２１からの流出水である中間処理水３２が直列接続流路２４を通って第２吸着塔２２に導入され、第２吸着塔２２の出側に連通して設けられた処理水流路２５を通って処理水３３が得られる。
【００７７】
図７に示した水処理装置では、フッ素イオン含有水３１、中間処理水３２、処理水３３の少なくとも１つを、フッ素濃度測定装置に導入する試料水とすることができる。例えば、フッ素イオン含有水３１のフッ素濃度を測定することにより、フッ素イオン含有水３１のフッ素濃度を、第１吸着塔２１と第２吸着塔２２によって好適に処理することができる濃度に調整することができる。すなわち、フッ素イオン含有水３１のフッ素濃度が高すぎる場合は、水で希釈することによってフッ素イオン含有水３１のフッ素濃度を調整することができる。中間処理水３２のフッ素濃度を測定することにより、第１吸着塔２１に配されたフッ素吸着剤の交換または再生処理のタイミングを適切に判断することができる。処理水３３のフッ素濃度を測定することにより、第１吸着塔２１と第２吸着塔２２によってフッ素吸着処理が好適に行われていることを確認し、また第２吸着塔２２に配されたフッ素吸着剤の交換または再生処理のタイミングを適切に判断することができる。
【００７８】
フッ素イオン含有水３１、中間処理水３２、処理水３３のフッ素濃度の測定の際は、各試料水の測定ごとに基準液を調製してもよいが、フッ素イオン含有水３１の性状変動が小さい場合は、フッ素イオン含有水３１と中間処理水３２と処理水３３で基準液を共通化することも可能である。また、処理水３３のフッ素濃度が十分に低い場合は、処理水３３を基準液として用い、フッ素イオン含有水３１と中間処理水３２を試料水として用いることも可能である。
【００７９】
本発明は、各種廃水や環境水中のフッ素イオン濃度の測定に用いることができる。
【００８０】
本願は、２０１８年５月２１日に出願された日本国特許出願第２０１８−０９７０２４号に基づく優先権の利益を主張するものである。２０１８年５月２１日に出願された日本国特許出願第２０１８−０９７０２４号の明細書の全内容が、本願に参考のため援用される。
【符号の説明】
【００８１】
１，１Ａ，１Ｂ：  計測部
２，２Ａ，２Ｂ：  フッ素イオン電極計
４：  第１供給手段
５：  フッ素除去部
６：  第２供給手段
７：  フッ素化合物供給手段
９：  第３供給手段
１０：  演算部
１１，１１Ａ，１１Ｂ：  排出液
１２：  取水部
１３：  混合部
１４：  第２フッ素除去部
１５：  第４供給手段
２１：  第１吸着塔
２２：  第２吸着塔
２３：  被処理水流路
２４：  直列接続流路
２５：  処理水流路
３１：  フッ素イオン含有水
３２：  中間処理水
３３：  処理水
【図１】
2019225433.tif 000003
【図２】
2019225433.tif 000004
【図３】
2019225433.tif 000005
【図４】
2019225433.tif 000006
【図５】
2019225433.tif 000007
【図６】
2019225433.tif 000008
【図７】
2019225433.tif 000009
【国際調査報告】
2019225433.tif 000010
2019225433.tif 000011
2019225433.tif 000012
2019225433.tif 000013